(57)【特許請求の範囲】
【請求項１】
便器の排水口から横引配管を通し汚物を搬送するシステムにおいて、前記便器の使用回数または使用時間間隔をカウントし、所定のカウント値に達したら、前記便器内に、便器洗浄水とは別に汚物搬送用の水を流すように構成したことを特徴とする汚物搬送システム。
【請求項２】
便器の排水口から横引配管を通し汚物を搬送するシステムにおいて、前記便器の使用回数または使用時間間隔をカウントし、所定のカウント値に達したら、前記横引配管に搬送用の水を流すように構成したことを特徴とする汚物搬送システム。
【請求項３】
便器の排水口から横引配管を通し汚物を搬送するシステムにおいて、前記便器の使用回数と使用時間をカウントし、どちらか先に所定のカウント値に達した時に、前記横引配管内に搬送用の水を流すように構成したことを特徴とする汚物搬送システム。
【請求項４】
前記搬送用の水の量は、通常の便器洗浄水量より大であることを特徴とする請求項１または請求項２または請求項３に記載の汚物搬送システム。
【発明の詳細な説明】
【０００１】
【産業上の利用分野】
この発明は、横引配管内の汚物を良好に搬送できる汚物搬送システムに関するものである。
【０００２】
【従来の技術及びその課題】
近年、省エネルギー化とか水不足の観点から大便器の節水は欠かせないが、節水しすぎると、排出された汚物が搬送されずに横引配管内に滞留して、最終的には横引配管が閉塞されてしまうという問題点があった。
【０００３】
【課題を解決するための手段】
本発明は上記従来の問題点に鑑み案出したものであって、大便器の節水化が図れ、しかも良好な汚物の搬送を可能にした汚物搬送システムを提供せんことを目的とし、その第１の要旨は、便器の排水口から横引配管を通し汚物を搬送するシステムにおいて、前記便器の使用回数または使用時間間隔をカウントし、所定のカウント値に達したら、前記便器内に、便器洗浄水とは別に汚物搬送用の水を流すように構成したことである。
また、第２の要旨は、便器の排水口から横引配管を通し汚物を搬送するシステムにおいて、前記便器の使用回数または使用時間間隔をカウントし、所定のカウント値に達したら、前記横引配管に搬送用の水を流すように構成したことである。
また、第３の要旨は、便器の排水口から横引配管を通し汚物を搬送するシステムにおいて、前記便器の使用回数と使用時間をカウントし、どちらか先に所定のカウント値に達した時に、前記横引配管内に搬送用の水を流すように構成したことである。
また、第４の要旨は、前記搬送用の水の量は、通常の便器洗浄水量より大であることである。
【０００４】
【実施例】
以下、本発明の実施例を図面に基づいて説明する。
図１は、複数の大便器１，１，１を備えた、例えばビル内のトイレの概略構成図であり、各大便器１の排水口１ａ，１ａ，１ａは排水用の横引配管２に接続されており、この横引配管２の他端側は、縦方向に配設されている縦管３に接続されたものとなっている。また、各大便器１には洗浄水を流すためにフラッシュバルブ４，４，４がそれぞれ取り付けられており、各フラッシュバルブ４，４，４は給水管５に連通されて給水管５から給水されるように構成されている。
このようなビルとかマンション等のトイレにおいては、大便器１，１，１から流される汚物が横引配管２内に滞留しやすく、最後には横引配管２が閉塞されてしまう恐れがあるため、本例では、自動的にこの横引配管２内に水を流して、横引配管２内に滞留する汚物を縦管３に良好に流せるように構成したものである。
【０００５】
例えば図２のフローチャート図で示すように、ステップＳ１において大便器１，１，１の使用回数をカウントし、ステップＳ２において所定の使用回数に達したか否かを判断し、例えば便器が１０回使用された場合に、ステップＳ３において自動洗浄信号が制御盤から発せられて、例えば上流側の大便器１のフラッシュバルブ４を２回開けて、上流側の大便器を通し横引配管２内に大量の水を流して、横引配管２内の汚物を縦管３側へ搬送するものである。なお、ステップＳ４においてカウントがリセットされて、ステップＳ１に戻される制御が行われる。
【０００６】
なお、通常、フラッシュバルブ４を操作すると、大便器１内には６リットル程度の洗浄水が流し込まれて大便器内が洗浄されるのであるが、このステップＳ３における自動洗浄では、１０リットル程度の大量の水を流して、横引配管２内に滞留する汚物を確実に縦管３側へ搬送して、横引配管２の閉塞を確実に防ぐことができるものである。
【０００７】
なお、別の制御構成として、図３にフローチャートで示すような制御を行うことができる。
即ち図３では、ステップＳ１０において大便器１の使用されたインターバルをカウントし、ステップＳ１１において所定のインターバルに達したか否かを判断し、所定のインターバルに達した場合には、ステップＳ１２で自動洗浄を行うものであり、このような制御は、例えば使用頻度の極めて少ない大便器において、例えば１日に１回とか、２日に１回、大量の水を横引配管２内に流して、横引配管２の閉塞を防ごうとするものである。
【０００８】
なお、図２におけるステップＳ３の自動洗浄、または図３におけるステップＳ１２の自動洗浄において、横引配管２の上流側に別のバルブを設けておき、このバルブを開けて、直接、横引配管２内に大量の水を流すように構成しておくこともでき、制御基板で便器の使用回数または使用時間間隔をカウントして、所定のカウント値に達した時に、横引配管２の上流側に設けたバルブを開けて、直接、横引配管２内に搬送用の水を流して、横引配管２内に滞留する汚物を良好に縦管３側に搬送することができるものである。
【０００９】
なお、別の制御構成として、便器の使用回数と使用時間をカウントし、どちらか先に所定のカウント値に達した時に、大便器１内または横引配管２内に搬送用の水を流すように構成しても良い。
【００１０】
なお、このようなシステムは、図４に示すような一般家庭の便器１においても適応することができ、一般家庭の大便器１の排水口には床面Ｆから下方側へ延びて排水管６が設けられ、この排水管６は地中に埋設された横引配管２に連通されており、さらに横引配管２は排水用の基管７に接続されたものとなっており、この横引配管２内に汚物が滞留しやすいために、便器１の使用回数または使用時間をカウントして、所定のカウント値に達した時に、通常の便器の洗浄水量よりも大量の搬送用の洗浄水を排水管６から横引配管２に流して、横引配管２内に滞留する汚物を確実に基管７に搬送することができるものとなる。
【００１１】
なお、このように横引配管２内に滞留する汚物を良好に搬送して、横引配管が閉塞することを防ぐことができるため、通常大便器１へ流す洗浄水量は少なくして、節水することができ、搬送用の水量を加えても、全体としては節水化を図れるものとなる。
【００１２】
【発明の効果】
本発明は、便器の排水口から横引配管を通し汚物を搬送するシステムにおいて、便器の使用回数または使用時間間隔をカウントし、所定のカウント値に達したら、便器内に、便器洗浄水とは別に汚物搬送用の水を流すように構成したことにより、通常は便器に流す洗浄水量を少ない量に節水し、横引配管内に滞留する汚物は、定期的に大量の水で良好に搬送することができ、横引配管の閉塞を確実に防いで、全体として便器の節水化を図ることができるものとなる。
【００１３】
また、便器の排水口から横引配管を通し汚物を搬送するシステムにおいて、便器の使用回数または使用時間間隔をカウントし、所定のカウント値に達したら、横引配管に搬送用の水を流すように構成したことにより、横引配管内に滞留する汚物は、定期的に大量の水で良好に搬送することができ、横引配管の閉塞を確実に防いで、通常は便器に流す洗浄水量を少ない量に節水することができる。
【００１４】
また、便器の排水口から横引配管を通し汚物を搬送するシステムにおいて、便器の使用回数と使用時間をカウントし、どちらか先に所定のカウント値に達した時に、横引配管内に搬送用の水を流すように構成したことにより、横引配管内に滞留する汚物は、定期的に大量の水で良好に搬送することができ、横引配管の閉塞を確実に防いで、通常は便器に流す洗浄水量を少ない量に節水することができる。
【００１５】
また、搬送用の水の量は、通常の便器洗浄水量より大であることにより、大量の水で横引配管内に滞留する汚物を確実に搬送して、横引配管の閉塞を防ぐことができるものとなり、通常の便器の使用時に流す洗浄水量は少なくして、全体としての節水化を図ることができるものとなる。
【図面の簡単な説明】
【図１】  ビル内等に設けられた大便器と排水用の横引配管の概略構成図である。
【図２】  第１実施例のシステムの制御構成を示すフローチャート図である。
【図３】  第２実施例のシステムの制御構成を示すフローチャート図である。
【図４】  一般家庭における横引配管の配管構成図である。
【符号の説明】
１  大便器
１ａ  排水口
２  横引配管
３  縦管
４  フラッシュバルブ
６  排水管
７  基管
【図１】
0004094797.tif 000002
【図２】
0004094797.tif 000003
【図３】
0004094797.tif 000004
【図４】
0004094797.tif 000005